(57)【要約】【課題】ビニールハウス内の換気を行うために、その側壁部や天井部に用いられるフィルムを巻き上げて、あるいは下して開閉可能としたビニールハウスにおいて、フィルムが巻き上げられ、あるいは巻き下ろされ際に、当該フィルムがビニールハウスの骨格（パイプ材）との接触によって擦れ、その摩擦によってフィルムが擦り切れるのを防止するための保護具を提供すること。【解決手段】ビニールハウスの骨組みに対して着脱自在に嵌着される嵌着部と、該嵌着部と一体的に形成されて、前記骨組みを覆うフィルムと接する位置に配された保護部とを備え、該保護部は、軟質部材により形成されているようにした。【選択図】        図１
2020162505.tif 000002
【特許請求の範囲】
【請求項１】
ビニールハウスの骨組みに対して着脱自在に嵌着される嵌着部と、該嵌着部と一体的に形成されて、前記骨組みを覆うフィルムと接する位置に配された保護部とを備え、該保護部は、軟質部材により形成されていることを特徴とするビニールハウスのフィルム保護具。
【請求項２】
保護部は、保護部支持体を介して嵌着部と一体的に形成されていることを特徴とする請求項１に記載のビニールハウスのフィルム保護具。
【請求項３】
嵌着部及び保護部支持体は硬質材料により形成され、保護部は軟質材料により形成されていることを特徴とする請求項１又は２に記載のビニールハウスのフィルム保護具。
【請求項４】
保護部支持体は、嵌着部の長さ方向の全長に亘って板状に形成され、保護部は嵌着部上にアーチ状に形成されて、保護部と嵌着部との間に筒状の中空部が設けられていることを特徴とする請求項２又は３に記載のビニールハウスのフィルム保護具。
【請求項５】
嵌着部及び保護部支持体は硬質塩化ビニールからなり、保護部は軟質塩化ビニールからなることを特徴とする請求項２乃至４のいずれかに記載のビニールハウスのフィルム保護具。
【請求項６】
保護部支持体は、硬質の芯材をさらに備えていることを特徴とする請求項２乃至５のいずれかに記載のビニールハウスのフィルム保護具。
【発明の詳細な説明】
【技術分野】
【０００１】
本発明は、農園芸用のビニールハウス（温室）に用いられる保護部材に関するものである。より詳しくは、ビニールハウスの側壁部や天井部に用いられるフィルムを巻き上げて、あるいは下して開閉可能としたビニールハウスにおいて、フィルムが巻き上げられ、あるいは下される際に、当該フィルムがビニールハウスの骨格（パイプ材）との接触によって擦れ、その摩擦によってフィルムが擦り切れるのを防止するためのフィルム保護具に関するものである。
【背景技術】
【０００２】
従来から、パイプ材をつなぎ合わせて組立体を形成して骨格とし、当該骨格にフィルムを被せた、一般的にビニールハウスと呼ばれる簡易の温室が、農園芸用途で広く用いられている。当該ビニールハウスにおいては、ハウス内を換気する目的で、その側壁面または屋根部を開閉自在としたものが多くある。この開閉自在を実現する手段として、たとえば特許文献１に示すように、ビニールハウスの骨格（パイプ材）の上に、フィルム（シートｂ）で覆ったビニールハウスにおいて、フィルム（シートｂ）の下端縁にパイプ材からなる巻軸ｃを取り付け、当該巻軸ｃにフィルムを巻き込むようにしてフィルムを巻き上げ、あるいは巻き下ろすことによってビニールハウスの壁面を開閉自在としたものがある。
【０００３】
この従来のビニールハウスによれば、上記巻軸ｃの一端に接続した回転伝達装置のハンドル３を手で回すことにより巻軸ｃを回動させ、これによってフィルムｂを巻き上げ、または巻き下げることができるので、簡便にビニールハウスの壁面を開閉自在としてビニールハウスの換気を行うことができる。
【先行技術文献】
【特許文献】
【０００４】
【特許文献１】特開２００２−１１２６３９号公報
【発明の概要】
【発明が解決しようとする課題】
【０００５】
しかしながら、このような従来のビニールハウスにおいては、フィルムを巻き上げ、又は巻き下げる際に、上記組立体を構成するパイプ材とそれを覆うフィルムとが互いに擦れ合い、その摩擦によってフィルムが破れるなどの課題があった。
【０００６】
本発明は上記の課題を克服するためのものであり、ビニールハウス内の換気を行うために、その側壁部や天井部に用いられるフィルムを巻き上げて、あるいは下して開閉可能としたビニールハウスにおいて、フィルムが巻き上げられ、あるいは巻き下ろされ際に、当該フィルムがビニールハウスの骨格（パイプ材）との接触によって擦れ、その摩擦によってフィルムが擦り切れるのを防止するためのフィルム保護具を提供することを目的とする。
【課題を解決するための手段】
【０００７】
上記目的を達成するために、本発明は次のような構成としている。すなわち、本発明に係るビニールハウスのフィルム保護具は、ビニールハウスの骨組みに対して着脱自在に嵌着される嵌着部と、該嵌着部と一体的に形成されて、前記骨組みを覆うフィルムと接する位置に配された保護部とを備え、該保護部は、軟質部材により形成されていることを特徴とする。
【０００８】
本発明に係るビニールハウスのフィルム保護具によれば、ビニールハウスの骨組みを覆うフィルムと接する位置に配された保護部を備えており、当該保護部が軟質部材により形成されているので、フィルムが擦り切れて破れることが防止される。
【０００９】
また、本発明に係るビニールハウスのフィルム保護具において、保護部は、保護部支持体を介して嵌着部と一体的に形成されていることを特徴とする。また、本発明に係るビニールハウスのフィルム保護具において、嵌着部及び保護部支持体は硬質材料により形成され、保護部は軟質材料により形成されていることを特徴とする。このようにすれば、嵌着部がビニールハウスの骨組みにしっかりと嵌着して、所定の位置に確実に保持され、また保護部が所定の位置に保持されて、ビニールハウスのフィルムが擦り切れて破れることを確実に防止することができる。
【００１０】
さらに、保護部支持体は、嵌着部の長さ方向の全長に亘って板状に形成され、保護部は嵌着部上にアーチ状に形成されて、保護部と嵌着部との間に筒状の中空部が設けられていることを特徴とする。このようにすれば、軟質材料からなる保護部と筒状の中空部とによって、クッション性が高まり、ビニールハウスのフィルムが擦り切れて破れることをより好適に防止することができる。
【００１１】
また、嵌着部及び保護部支持体は硬質塩化ビニールからなり、保護部は軟質塩化ビニールからなることを特徴とする。このようにすれば、保護部支持体と保護部との接合が確実となり、所望の性能を発揮することができる。さらに、保護部支持体は、硬質の芯材をさらに備えていることを特徴とする。このようにすれば、保護部をより強固に支持することができる。
【発明の効果】
【００１２】
本発明に係るビニールハウスのフィルム保護具によれば、ビニールハウスの骨組みに対して着脱自在に嵌着される嵌着部と、該嵌着部と一体的に形成されて、前記骨組みを覆うフィルムと接する位置に配された保護部とを備え、当該保護部は、軟質部材により形成されているので、フィルムが擦り切れて破れることを好適に防止することができる。
【図面の簡単な説明】
【００１３】
【図１】本発明に係るビニールハウスのフィルム保護具の一実施形態を示す斜視図である。
【図２】図１に示したフィルム保護具の正面図である。
【図３】図１に示したフィルム保護具の側面図である。
【図４】図１におけるＡ−Ａ線断面図である。
【図５】図１に示したフィルム保護具が取り付けられるビニールハウスの例を示す説明図である。
【発明を実施するための形態】
【００１４】
次に、本発明を実施するための最良の形態について図面を参照し、具体的に説明する。
【００１５】
図１〜図４は、本発明に係るビニールハウスのフィルム保護具の一実施形態を示す図である。図１に示すように、この実施形態におけるフィルム保護具１は、長尺の嵌着部２と、嵌着部２に一体的に形成された保護部３とを備えている。この実施形態においては、保護部支持体４を更に備えており、当該保護部支持体４を介して嵌着部２と保護部３が一体的に形成されるものとしている。
【００１６】
嵌着部２は、本実施形態においては硬質塩化ビニールにより形成されている。嵌着部２は、略円筒形の周壁が一部軸方向、図１における下側面が長手方向に端から端まで切り欠かれていて、これにより図３に示すように側面視で下方に開口した略Ｃ字状となされ、開口部２１が形成されてなるものである。
【００１７】
フィルム保護具１は、例えば図５に示したビニールハウスＶＨの骨組みを構成するパイプ部材７１に、嵌着部２を嵌着させて用いるものである。嵌着部２の円筒内空間部の内径寸法は、パイプ部材７１の外径寸法と略同一か、あるいは僅かに小さいものとなされ、これにより、確実にパイプ部材７１に嵌着することが可能となる。
【００１８】
また、嵌着部２の開口部２１の幅、すなわち開口部２１における両開口端部２２、２２間の距離は、パイプ部材７１の外径よりも小さいものとなされている。これにより、開口部２１に沿ってフィルム保護具１をパイプ部材７１に押し付けることで、開口端部同士の間隔が開くように嵌着部２が弾性変形して、パイプ部材７１が嵌着部２内側に導かれる。いったん弾性変形した嵌着部２はパイプ部材７１が嵌着部２の内側に嵌ると同時に元の形状に戻り、これによって嵌着部２がパイプ部材７１に嵌着され、しっかりと固定される。
【００１９】
なお、この嵌着部２は、上述の通り硬質塩化ビニールで形成されている。後述する保護部支持体４が本実施形態においては同様に硬質塩化ビニールで形成され、また保護部３が軟質塩化ビニールで形成されることによって相互の溶着性が良好となることから、本実施形態においては、嵌着部２を硬質塩化ビニールで形成するのが望ましい。しかしながら、上述の溶着性が担保される組み合わせであれば、硬質塩化ビニールに限られるものではなく、開口部２１をパイプ材７１押し込むことができる程度に弾性変形可能なものであればポリプロピレンやポリエチレン、ＡＢＳ樹脂、ＡＡＳ樹脂、ＡＳＡ樹脂、ポリアセタール樹脂、ポリエステル樹脂、エラストマー、ラバーなどにより形成してもよく、またそれらを適宜組み合わせて用いてもよい。あるいは、弾性変形可能であり、かつ所定の強度を備えていれば、上記以外の合成樹脂材料や金属その他の任意の材料を使用することができる。さらに、この嵌着部２は一体的に形成されているが、複数の部材を連結して嵌着部２を形成するようにしてもよい。
【００２０】
また、嵌着部２の開口部２１とは反対側、すなわち図１〜４における嵌着部２の上側には、嵌着部２と一体的に保護部支持体４が形成されている。保護部支持体４は、本実施形態においては長尺の板状であって、嵌着部２の長さ方向全長に亘って形成されている。また、本実施形態における保護部支持体４は、図３及び図４に示す通り、嵌着部２と同様に硬質塩化ビニールで形成された支持体本体４１と、支持体本体４１内に配設され、ステンレス材料により形成された薄板状の芯材４２とを備えている。この硬質材料からなる保護部支持体４は、これを設けることにより、後述する保護部３を所望の形状及び位置に保持されるよう支持するためのものである。それゆえ、当該目的を達するものであれば、保護部支持体４の形状や材料は任意に選択可能なものである。また、薄板状の芯材４２は、保護部３を安定的に支持して変形しないことに寄与するものであり、これを設けるのが好ましいが、上記目的を達するものであれば、必ずしも設ける必要はなく、また材料も任意に選択できるものである。
【００２１】
さらに、保護部支持体４上には、これと一体的に保護部３が設けられている。保護部３は、軟質塩化ビニールにより形成され、嵌着部２及び保護部支持体４の長さ方向全長に亘って形成されている。また、この保護部３は、図１、３及び４に示すように、側面視でアーチ状となされ、その両端部が保護部支持体４の両側端部に溶着されて保護部支持体４と一体的に形成されており、これによって保護部３と保護部支持体４により中空部５が形成されている。
【００２２】
このような構成を備えることによって、ビニールハウスＶＨの骨組みを構成するパイプ部材７１に嵌着部２を嵌着させてフィルム保護具１を取り付ければ、保護部３の上面が、ビニールハウスＶＨのフィルムＦに接することになる。このとき、保護部３は軟質材料により形成され、また保護部３の下に中空部５が設けられていることでクッション機能により、フィルムＦとの摩擦が低減され、フィルムＦが摩擦により擦り切れる恐れが少なくなる。尚、この保護部３は、この実施形態においては軟質塩化ビニルにより形成されているが、軟質でフィルムＦとの摩擦が低減される材料であって、保護部支持体４との溶着性が担保される組み合わせのものであれば、これに限定されるものではなく、ＥＶＡほか任意の材料が用いられて良いものである。
【００２３】
次に、以上のような構成を備えたフィルム保護具１の使用方法を、図５を参考に以下説明する。図５は、本発明に係るフィルム保護具が使用されるビニールハウスの一例であり、パイプ材７１をつなぎ合わせた組立体からなる骨格にフィルムＦを被せたビニールハウスＶＨである。図５に示すように、所定高さのフィルムＦの下端縁にパイプ材からなる巻軸７２が取り付けられ、また、巻軸７２の一端には回転伝達装置のハンドル７３が接続されている。このハンドル３を手で回して巻軸７２を回動させ、巻軸７２にフィルムＦを巻き込むようにしてフィルムＦを巻き上げ、あるいは巻き下ろすことによってビニールハウスＶＨの側壁面を開閉自在とし、これにより必要に応じてビニールハウスＶＨの換気を行うことができるようにしたものである。
【００２４】
図５に示したビニールハウスＶＨにおいて、本発明に係るフィルム保護具１を用いない場合は、フィルムＦとパイプ部材７１とが互いに擦れ合い、その摩擦によってフィルムが破れることがたびたび発生する。
【００２５】
そこで、本発明に係るフィルム保護具１を、上述の通り嵌着部２をパイプ材７１に嵌着させることによって固定し、使用する。そうすると、ハンドル３を手で回して巻軸７２を回動させ、巻軸７２にフィルムＦを巻き込むようにしてフィルムＦを巻き上げ、あるいは巻き下ろす際、保護部３及び中空部５がクッション機能を発揮し、フィルムＦとの摩擦が低減され、これによりフィルムＦが擦り切れる恐れが大幅に軽減される。尚、フィルム保護具１の全長は任意に設定できるものであるが、フィルムＦが巻き上げ、巻き下ろされる範囲の全長に合わせて、その長さに形成され配置されるのが好ましい。
【００２６】
以上、本発明に係るビニールハウスのフィルム保護具について、実施形態に基づいて説明したが、本発明は、上述した実施形態に限定されるものではない。本発明の要旨を逸脱しない範囲内で当業者が思いつく各種変形を施したものも本発明の範囲内に含まれる。例えば、本実施形態においては、嵌着部２と保護部３と保護部支持体４とを一体に形成しているが、これらを別体として作製したうえで組み合わせて使用するものとしてもよい。また、保護部３のアーチ状や、中空部５の形状もここに示した形態に限定されるものではなく、フィルムＦとの摩擦を低減できる形状であれば、任意の形状として良いものであって、そのような変形例も本発明の範囲に含まれるものである。
【産業上の利用可能性】
【００２７】
本発明によれば、ビニールハウス内の換気を行うために、その側壁部や天井部に用いられるフィルムを巻き上げて、あるいは下して開閉可能としたビニールハウスにおいて、フィルムが巻き上げられ、あるいは巻き下ろされ際に、当該フィルムがビニールハウスの骨格（パイプ材）との接触によって擦れ、その摩擦によってフィルムが擦り切れるのを防止するためのフィルム保護具を提供することが可能となる。
【符号の説明】
【００２８】
１    フィルム保護具
２    嵌着部
２１  開口部
２２  開口端部
３    保護部
４    保護部支持体
４１  支持体本体
４２  芯材
５    中空部
７１  パイプ材
Ｆ    フィルム
ＶＨ  ビニールハウス
【図１】
2020162505.tif 000003
【図２】
2020162505.tif 000004
【図３】
2020162505.tif 000005
【図４】
2020162505.tif 000006
【図５】
2020162505.tif 000007